(57)【要約】【課題】複数の放送メディアを同時に受信し、受信した複数の放送メディアに対応する信号を同時に処理できるようにする。【解決手段】  ステップＳ１で、ユーザの操作に対応するメディアと実行すべき処理を判定し、ステップＳ２で、必要なリソースを決定する。ステップＳ３で、必要なリソースが使用可能であるか判定し、使用可能ではないと判定した場合、ステップＳ４で、実行すべき処理の優先度が、必要なリソースを使用している処理の優先度よりも高いか否かを判定する。実行すべき処理の優先度の方が高いと判定された場合、ステップＳ５で、必要なリソースを使用している処理から当該リソースの割り当てを解放し、ステップＳ６で、実行すべき処理に、リソースを割り当てる。本発明は、テレビジョン放送等の受信装置に適用できる。【選択図】図３
2006060270.tif 000002
【特許請求の範囲】
【請求項１】
放送されたコンテンツ信号を受信する受信装置において、
前記コンテンツ信号を受信する複数の受信手段と、
前記受信手段によって受信された前記コンテンツ信号に所定の信号処理を施す複数の信号処理手段と、
実行すべき第１の処理を判定する判定手段と、
前記判定手段によって判定された前記第１の処理を実行するために必要な受信手段および信号処理手段を決定する決定手段と、
前記判定手段によって判定された前記第１の処理に対して、前記決定手段によって決定された前記受信手段および前記信号処理手段を割り当てる割り当て手段と
を含むことを特徴とする受信装置。
【請求項２】
前記決定手段によって決定された前記受信手段または前記信号処理手段の少なくとも一方が、前記判定手段によって判定された前記第１の処理以外の第２の処理に対して割り当てられていることにより前記第１の処理に対する割り当てが不足する場合において、前記第１の処理と前記第２の処理の優先度を判別する判別手段をさらに含み、
前記割り当て手段は、前記判別手段による判別結果に対応して、前記第２の処理に対しする前記受信手段および前記信号処理手段の割り当てを解放し、前記第１の処理に対して前記決定手段によって決定された前記受信手段および前記信号処理手段を割り当てる
ことを特徴とする請求項１に記載の受信装置。
【請求項３】
ユーザの操作を入力する入力手段をさらに含み、
前記割り当て手段は、前記入力手段によって入力された前記ユーザの操作に従い、前記判定手段によって判定された前記第１の処理に対して優先的に、前記決定手段によって決定された前記受信手段および前記信号処理手段を割り当てる
ことを特徴とする請求項１に記載の受信装置。
【請求項４】
前記判定手段は、ユーザの操作または録画予約の設定に基づいて、実行すべき前記第１の処理を判定する
ことを特徴とする請求項１に記載の受信装置。
【請求項５】
前記信号処理手段は、
前記受信手段によって受信された前記コンテンツ信号から所定の信号を分離する分離手段を含む
ことを特徴とする請求項１に記載の受信装置。
【請求項６】
前記信号処理手段は、
前記分離手段によって前記コンテンツ信号から分離された前記所定の信号を記録する記録手段をさらに含む
ことを特徴とする請求項５に記載の受信装置。
【請求項７】
前記信号処理手段は、
前記分離手段によって前記コンテンツ信号から分離された前記所定の信号を復号する復号手段をさらに含む
ことを特徴とする請求項５に記載の受信装置。
【請求項８】
放送されたコンテンツ信号を受信する複数の受信手段と、
前記受信手段によって受信された前記コンテンツ信号に所定の信号処理を施す複数の信号処理手段とを備える受信装置の受信方法において、
実行すべき第１の処理を判定する判定ステップと、
前記判定ステップの処理で判定された前記第１の処理を実行するために必要な受信手段および信号処理手段を決定する決定ステップと、
前記判定ステップの処理で判定された前記第１の処理に対して、前記決定ステップの処理で決定された前記受信手段および前記信号処理手段を割り当てる割り当てステップと
を含むことを特徴とする受信方法。
【請求項９】
放送されたコンテンツ信号を受信する複数の受信手段と、
前記受信手段によって受信された前記コンテンツ信号に所定の信号処理を施す複数の信号処理手段とを備える受信装置の受信用のプログラムであって、
実行すべき第１の処理を判定する判定ステップと、
前記判定ステップの処理で判定された前記第１の処理を実行するために必要な受信手段および信号処理手段を決定する決定ステップと、
前記判定ステップの処理で判定された前記第１の処理に対して、前記決定ステップの処理で決定された前記受信手段および前記信号処理手段を割り当てる割り当てステップと
を含む処理をコンピュータに実行させることを特徴とするプログラム。
【発明の詳細な説明】
【技術分野】
【０００１】
本発明は、受信装置および方法、並びにプログラムに関し、特に、複数のチューナと複数の信号処理系を備え、同時に実行する複数の処理の優先順位に基づいて、複数のチューナと複数の信号処理系を複数の処理に割り当てるようにした受信装置および方法、並びにプログラムに関する。
【背景技術】
【０００２】
従来、同一の放送メディア（例えば、地上波アナログ）に対応した２つチューナを備える受信装置が存在し、一方のチューナを用いてあるチャンネルをリアルタイムで視聴しながら、他方のチューナを用いて他のチャンネルを録画したりすることが実現されている。
【０００３】
また近年、テレビジョン放送の放送メディアが、地上波アナログ、地上波ディジタル、ＢＳ(Broadcasting Satellite)アナログ、ＢＳディジタル、ＣＳ(Communications Satellite)ディジタル等のように種類が増加しているので、このような放送メディアの増加に対応して、異なる放送メディアにそれぞれ対応した複数のチューナを備える受信装置が存在する（例えば、特許文献１参照）。
【０００４】
ところで、地上波ディジタル、ＢＳディジタル、ＣＳディジタル等の放送メディアによって送信されるディジタル信号には、符号化されているビデオデータ、オーディオデータ、その他のデータ等が多重化されているので、チューナの後段に、ディジタル信号から符号化されているビデオデータ、オーディオデータ等を分離するためのデマルチプレクサを設ける必要がある。また、地上波アナログ等の放送メディアによって送信されるアナログ信号を受信するチューナの後段には、輝度信号と色差信号とを分離するためのＹ／Ｃ分離部を設ける必要がある。以下、上述したチューナの後段に設けられるデマルチプレクサやＹ／Ｃ分離部を信号処理系と記述する。
【０００５】
【特許文献１】特開平１０−２５７４０４号公報
【発明の開示】
【発明が解決しようとする課題】
【０００６】
ここで、複数ｍの放送メディアを受信可能であって、複数ｎ（＜ｍ）の放送メディアに対応する信号を同時に出力可能な受信装置の実現を考える。この場合、ｍ個のチューナにそれぞれ対応させてｍ個の信号処理系を設ければ最も容易に上述した装置を実現することができる。しかしながら、信号処理系をチュ−ナと同数だけ設けることはコスト高になってしまうという課題があった。
【０００７】
本発明はこのような状況に鑑みてなされたものであり、コスト高となることを抑止しつつ、複数の放送メディアを同時に受信可能であって、複数の放送メディアに対応する信号を同時に処理可能な受信装置を実現できるようにすることを目的とする。
【課題を解決するための手段】
【０００８】
本発明の受信装置は、コンテンツ信号を受信する複数の受信手段と、受信手段によって受信されたコンテンツ信号に所定の信号処理を施す複数の信号処理手段と、実行すべき第１の処理を判定する判定手段と、判定手段によって判定された第１の処理を実行するために必要な受信手段および信号処理手段を決定する決定手段と、判定手段によって判定された第１の処理に対して、決定手段によって決定された受信手段および信号処理手段を割り当てる割り当て手段とを含むことを特徴とする。
【０００９】
本発明の受信装置は、決定手段によって決定された受信手段または信号処理手段の少なくとも一方が、判定手段によって判定された第１の処理以外の第２の処理に対して割り当てられていることにより第１の処理に対する割り当てが不足する場合において、第１の処理と第２の処理の優先度を判別する判別手段をさらに含むことができ、前記割り当て手段は、判別手段による判別結果に対応して、第２の処理に対しする受信手段および信号処理手段の割り当てを解放し、第１の処理に対して決定手段によって決定された受信手段および信号処理手段を割り当てるようにすることができる。
【００１０】
本発明の受信装置は、ユーザの操作を入力する入力手段をさらに含むことができ、前記割り当て手段は、入力手段によって入力されたユーザの操作に従い、判定手段によって判定された第１の処理に対して優先的に、決定手段によって決定された受信手段および信号処理手段を割り当てるようにすることができる。
【００１１】
前記判定手段は、ユーザの操作または録画予約の設定に基づいて、実行すべき第１の処理を判定するようにすることができる。
【００１２】
前記信号処理手段は、受信手段によって受信されたコンテンツ信号から所定の信号を分離する分離手段を含むようにすることができる。
【００１３】
前記信号処理手段は、分離手段によってコンテンツ信号から分離された所定の信号を記録する記録手段をさらに含むようにすることができる。
【００１４】
前記信号処理手段は、分離手段によってコンテンツ信号から分離された所定の信号を復号する復号手段をさらに含むようにすることができる。
【００１５】
本発明の受信方法は、実行すべき第１の処理を判定する判定ステップと、判定ステップの処理で判定された第１の処理を実行するために必要な受信手段および信号処理手段を決定する決定ステップと、判定ステップの処理で判定された第１の処理に対して、決定ステップの処理で決定された受信手段および信号処理手段を割り当てる割り当てステップとを含むことを特徴とする。
【００１６】
本発明のプログラムは、実行すべき第１の処理を判定する判定ステップと、判定ステップの処理で判定された第１の処理を実行するために必要な受信手段および信号処理手段を決定する決定ステップと、判定ステップの処理で判定された第１の処理に対して、決定ステップの処理で決定された受信手段および信号処理手段を割り当てる割り当てステップとを含む処理をコンピュータに実行させることを特徴とする。
【００１７】
本発明の受信装置および方法においては、実行すべき第１の処理が判定され、判定された第１の処理を実行するために必要な受信手段および信号処理手段が決定される。さらに、判定された第１の処理に対して、決定された受信手段および信号処理手段が割り当てられる。
【発明の効果】
【００１８】
本発明によれば、コスト高を抑止しつつ、複数の放送メディアを受信することが可能となる。また、本発明によれば、受信した複数の放送メディアにそれぞれ対応する信号を同時に処理することが可能となる。
【発明を実施するための最良の形態】
【００１９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２１】
請求項１に記載の受信装置（例えば、図１の受信記録装置１）は、コンテンツ信号を受信する複数の受信手段（例えば、図１の地上波アナログチューナ１３−１）と、受信手段によって受信されたコンテンツ信号に所定の信号処理を施す複数の信号処理手段（例えば、図１の視聴用デマルチプレクサ２４−１）と、実行すべき第１の処理を判定する判定手段（例えば、図２の操作判定部４１）と、判定手段によって判定された第１の処理を実行するために必要な受信手段および信号処理手段を決定する決定手段（例えば、図２のリソース決定部４３）と、判定手段によって判定された第１の処理に対して、決定手段によって決定された受信手段および信号処理手段を割り当てる割り当て手段（例えば、図２のリソース管理部４６）とを含む。
【００２２】
請求項２に記載の受信装置は、決定手段によって決定された受信手段または信号処理手段の少なくとも一方が、判定手段によって判定された第１の処理以外の第２の処理に対して割り当てられていることにより第１の処理に対する割り当てが不足する場合において、第１の処理と第２の処理の優先度を判別する判別手段（例えば、図２の優先度判定部４５）をさらに含み、割り当て手段は、判別手段による判別結果に対応して、第２の処理に対しする受信手段および信号処理手段の割り当てを解放し、第１の処理に対して決定手段によって決定された受信手段および信号処理手段を割り当てる。
【００２３】
請求項３に記載の受信装置は、ユーザの操作を入力する入力手段（例えば、図１の操作入力部１２）をさらに含み、割り当て手段は、入力手段によって入力されたユーザの操作に従い、判定手段によって判定された第１の処理に対して優先的に、決定手段によって決定された受信手段および信号処理手段を割り当てる。
【００２４】
請求項５に記載の受信装置は、信号処理手段が、受信手段によって受信されたコンテンツ信号から所定の信号を分離する分離手段（例えば、図２の記録用デマルチプレクサ２６−１）を含む。
【００２５】
請求項６に記載の受信装置は、信号処理手段が、分離手段によってコンテンツ信号から分離された所定の信号を記録する記録手段（例えば、図２の記録部２７−１）をさらに含む。
【００２６】
請求項７に記載の受信装置は、信号処理手段が、分離手段によってコンテンツ信号から分離された所定の信号を復号する復号手段（例えば、図２の復号部２５−１）をさらに含む。
【００２７】
請求項８に記載の受信方法は、実行すべき第１の処理を判定する判定ステップ（例えば、図３のステップＳ１）と、判定ステップの処理で判定された第１の処理を実行するために必要な受信手段および信号処理手段を決定する決定ステップ（例えば、図３のステップＳ２）と、判定ステップの処理で判定された第１の処理に対して、決定ステップの処理で決定された受信手段および信号処理手段を割り当てる割り当てステップ（例えば、図３のステップＳ６）とを含む。
【００２８】
なお、本発明のプログラムの請求項に記載の構成要件と、発明の実施の形態における具体例との対応関係は、上述した本発明の受信方法のものと同様であるので、その記載は省略する。
【００２９】
以下、本発明を適用した具体的な実施の形態について、図面を参照しながら詳細に説明する。
【００３０】
図１は、本発明の一実施の形態である受信記録装置の構成例を示している。この受信記録装置１は、異なる複数の放送メディアと複数のコンポジット信号を入力とし、これらのうちの複数を同時に処理（視聴処理、録画処理、所定のデータ処理等）するものである。
【００３１】
受信記録装置１は、主に制御部１０、アナログ信号入力部１３、ディジタル信号入力部１９、ディジタル入力スイッチ２２、および信号処理部２３から構成される。
【００３２】
制御部１０は、記録媒体１１に記録されている制御プログラムに基づき、操作入力部１２から入力される操作信号に従って受信記録装置１の各部を制御する。操作入力部１２は、ユーザからの操作入力を受け付けて、それに対応する操作信号を制御部１０に出力する。
【００３３】
アナログ信号入力部１３は、入力されるアナログ信号のうち、最大２系統をディジタル信号に変換してディジタル入力スイッチ２２に入力する。アナログ信号入力部１３の、地上波アナログチューナ１４−１および１４−２は、それぞれ、地上アナログ放送を受信して、受信したアナログ信号をアナログ入力スイッチ１６−１に出力する。以下、地上波アナログチューナ１４−１および１４−２を個々に区別する必要がない場合、単に地上波アナログチューナ１４と記述する。後述するコンポジット入力部１５−１乃至１５−３等についても同様とする。
【００３４】
コンポジット入力部１５−１乃至１５−３は、それぞれ、輝度信号と色信号が混合されているコンポジット信号（アナログ信号）を外部から取得し、アナログ入力スイッチ１６−１に出力する。アナログ入力スイッチ１６−１は、入力された最大５系統入力されるアナログ信号のうち、最大２系統をＹ／Ｃ分離部１７−１または１７−２に出力する。
【００３５】
Ｙ／Ｃ分離部１７−１および１７−２は、それぞれ、アナログ入力スイッチ１６−１から入力されたアナログ信号のうちの映像信号を、輝度信号と色信号に分離して、アナログ入力スイッチ１６−２に出力する。アナログ入力スイッチ１６−２は、Ｙ／Ｃ分離部１７−１および１７−２から入力された、輝度信号と色信号を符号化部１８−１または１８−２に出力する。また、アナログ入力スイッチ１６−２は、アナログ信号の視聴時にはＹ／Ｃ分離部１７−１または１７−２からの入力のうちの一方を後段に出力する。
【００３６】
符号化部１８−１および１８−２は、それぞれＹ／Ｃ分離部１７−１または１７−２から入力された輝度信号と色信号に分離された映像信号と音声信号からなるアナログ信号を、後段の信号処理部２３に含まれる復号部２５−１等における復号処理に対応する符号化処理によって符号化し、その結果得られる符号化されたディジタル信号をディジタル入力スイッチ２２に出力する。
【００３７】
ディジタル信号入力部１９は、最大４系統のディジタル信号をディジタル入力スイッチ２２に入力する。ディジタル信号入力部１９の、地上波ディジタルチューナ２０−１および２０−２は、それぞれ、地上ディジタル放送を受信して、受信したディジタル信号をディジタル入力スイッチ２２に出力する。衛星波ディジタルチューナ２１−１および２１−２は、それぞれ、ＢＳディジタル放送やＣＳディジタル放送を受信して、受信したディジタル信号をディジタル入力スイッチ２２に出力する。
【００３８】
ディジタル入力スイッチ２２は、制御部１０からの制御に従い、アナログ信号入力部１３から入力される２系統のディジタル信号と、ディジタル信号入力部１９から入力される４系統のディジタル信号を、信号処理部２３の視聴用デマルチプレクサ(DEMUX)２４−１，２４−２、記録用デマルチプレクサ２６−１，２６−２、データ処理用デマルチプレクサ２８−１、または２８−１のいずれかに出力する。
【００３９】
信号処理部２３は、ディジタル入力スイッチ２２から入力される最大６系統のディジタル信号に対して視聴処理、録画処理、または所定のデータ処理を行う。
【００４０】
視聴処理に係る視聴用デマルチプレクサ２４−１および２４−２は、それぞれ、ディジタル入力スイッチ２２から入力されるディジタル信号を映像信号と音声信号に分離して復号部２５−１または２５−２に出力する。また、視聴用デマルチプレクサ２４−１および２４−２は、それぞれ、記録部２７−１または２７−２から入力されるディジタル信号を映像信号と音声信号に分離して復号部２５−１または２５−２に出力する。復号部２５−１および２５−２は、視聴用デマルチプレクサ２４−１または２４−２あるいは記録部２７−１または２７−２から入力される映像信号および音声信号を復号して、復号結果を後段に出力する。
【００４１】
録画処理に係る記録用デマルチプレクサ２６−１および２６−２は、それぞれ、ディジタル入力スイッチ２２から入力されるディジタル信号を映像信号と音声信号に分離して記録部２７−１または２７−２に出力する。記録部２７−１および２７−２は、記録用デマルチプレクサ２６−１または２６−２から入力される映像信号および音声信号を、所定の記録媒体に記録する。また、記録部２７−１および２７−２は、再生時において記録した映像信号および音声信号を読み出して視聴用マルチプレクサ２４−１または２４−２に出力する。
【００４２】
データ処理に係るデータ処理用デマルチプレクサ２８−１および２６−２は、それぞれ、ディジタル入力スイッチ２２から入力されるディジタル信号を映像信号と音声信号に分離して後段に出力する。
【００４３】
図２は、制御部１０の構成例を示している。操作判定部４１は、操作入力部１２から入力されるユーザの操作に対応した操作信号、または録画予約設定部４２から入力される録画予約情報に基づき、これから実行すべき処理（いずれの入力信号に、視聴処理、録画処理、または所定のデータ処理のうちのいずれを行うか）を判定して、その判定結果をリソース決定部４３に出力する。リソース決定部４３は、操作判定部４１の判定結果に基づき、アナログ信号入力部１３、ディジタル信号入力部１９、およびディジタル入力スイッチ２２を制御して、実行すべき処理を行うために必要なリソースを決定し、決定結果をリソース管理部４４および優先度判定部４５に出力する。例えば、地上ディジタル放送の視聴処理を行うために必要なリソースとして、地上波ディジタルチューナ２０、視聴用デマルチプレクサ２４、および復号部２５が決定される。
【００４４】
ここで、リソースとは、受信記録装置１を構成している各構成要素を指す。同一の機能を有する構成要素が複数存在する場合には、１種類のリソースと見なして当該複数の値をキャパシティと称する。
【００４５】
リソース管理部４４は、現在実行中の処理に割り当てられているリソースを管理しており、リソース決定部４３から入力される決定結果によって示される実行すべき処理に必要なリソースのキャパシティに余裕があるならば、当該リソースを実行すべき処理に割り当てる。実行すべき処理に必要なリソースのキャパシティに余裕がないならば、優先度判定部４５から入力される判定結果に従ってリソースの割り当てを変更する。実行すべき処理にリソースが割り当てられることにより、当該処理のパス（割り当てられたリソースを繋いだ経路）が決定される。ただし、ユーザから所定の操作が行われた場合等においては、リソース管理部４４において、優先度判定部４５から入力される判定結果に拘わらず、ユーザの操作に対応する処理に対して優先的にリソースを割り当てるようにすることができる。
【００４６】
優先度判定部４５は、リソース管理部４４から入力される現在のリソース割り当てと、リソース決定部４３から入力される決定結果とを比較して、リソースを割り当てる際の優先度を判定する。基本的には、周期的な録画予約に基づく録画処理の優先度が高、１回だけの録画予約に基づく録画処理の優先度が中、視聴処理の優先度が低とされる。通知部４６は、実行すべき処理に対してリソースを割り当てることができなかった場合、その旨をユーザに対して通知する。
【００４７】
次にパスを決定するまでの一連の処理（以下、パス決定処理と記述する）について、図３のフローチャートを参照して説明する。
【００４８】
このパス決定処理は、操作入力部１２から操作判定部４１に、ユーザからの視聴処理の開始を指示する操作信号が入力されたとき、録画処理の開始を指示する操作信号が入力されたとき、または、録画予約設定部４２から操作判定部４１に、設定されている録画予約の開始時刻と現在時刻の差が所定の閾値以下となった旨が通知されたとき等に開始される。
【００４９】
ステップＳ１において、操作判定部４１は、ユーザの操作や録画予約に対応するメディア（放送波）と実行すべき処理（視聴処理、定期的な録画予約に基づく録画処理、一時的な録画予約に基づく録画処理、または所定のデータ処理）を判定し、この判定結果をリソース決定部５３に出力する。
【００５０】
ステップＳ２において、リソース決定部４３は、ステップＳ１の処理で判定されたメディアと実行すべき処理に必要なリソースを決定し、決定結果をリソース管理部４４および優先度判定部４５に出力する。ステップＳ３において、リソース管理部４４は、ステップＳ２の処理で決定された必要なリソースが使用可能であるか、すなわち、当該リソースのキャパシティに余裕があるか否かを判定する。当該リソースのキャパシティに余裕がなく、ステップＳ２の処理で決定された必要なリソースが使用可能ではないと判定された場合、処理はステップＳ４に進む。なお、当該リソースのキャパシティに余裕があって、ステップＳ２の処理で決定された必要なリソースが使用可能であると判定された場合、ステップＳ４およびＳ５はスキップされて処理はステップＳ６に進む。
【００５１】
ステップＳ４において、優先度判定部４５は、ステップＳ１の処理で判定された実行すべき処理の優先度が、ステップＳ２の処理で決定された必要なリソースを使用している処理の優先度よりも高いか否かを判定する。ステップＳ１の処理で判定された実行すべき処理の優先度の方が高いと判定された場合、処理はステップＳ５に進む。
【００５２】
ステップＳ５において、リソース管理部４４は、ステップＳ３の処理で決定された必要なリソースを使用している処理から当該リソースの割り当てを解放する。ステップＳ６において、リソース管理部４４は、ステップＳ１の処理で判定された実行すべき処理に、ステップＳ２の処理で決定されたリソースを割り当てる。このように、リソースが割り当てられることにより、ステップＳ１の処理で判定された実行すべき処理のパスが決定され、当該パス決定処理は終了される。
【００５３】
なお、ステップＳ４において、ステップＳ１の処理で判定された実行すべき処理の優先度は、ステップＳ２の処理で決定された必要なリソースを使用している処理の優先度よりも高くないと判定された場合、処理はステップＳ７に進む。ステップＳ７において、リソース管理部４４は、ステップＳ１の処理で判定された実行すべき処理に対してリソースを割り当てることができなかった旨を示す情報を通知部４６に出力する。通知部４６は、ユーザに対して、リソースが確保できなかったために指示された処理を実行することができない旨を通知する。以上でパス決定処理の説明を終了する。
【００５４】
上述したパス決定処理によれば、例えば、地上ディジタル放送の視聴処理と地上ディジタル放送の録画予約に基づく録画処理（第１の録画処理）を行っている状態のとき、すなわち、図４に示されるように、地上ディジタル放送の視聴処理に地上波ディジタルチューナ２０−１、視聴用デマルチプレクサ２４−１、および復号部２５−１が割り当てられ、地上ディジタル放送の録画処理に地上波ディジタルチューナ２０−２、記録用デマルチプレクサ２６−１、および記録部２７−１が割り当てられている状態のとき、さらに、地上ディジタル放送の録画予約に基づく録画処理（第２の録画処理）が実行されようとしたと仮定する。
【００５５】
この場合、第２の録画処理に必要なリソースとして地上波ディジタルチューナ２０が決定されるが、既にリソースとしての地上波ディジタルチューナ２０はキャパシティの上限まで使用されているので、３つの処理の優先度が判定される。この判定の結果、３つの処理の中で最も優先度の低いリアルタイム視聴処理に割り当てられていたリソースが解放され、解放された地上波ディジタルチューナ２０−１の他、未使用であった記録用デマルチプレクサ２６−２、および記録部２７−２が第２の録画処理に割り当てられる。
【００５６】
また例えば、ＢＳディジタル放送の録画予約に基づく録画処理（第１の録画処理）とＢＳディジタル放送の他の録画予約に基づく録画処理（第２の録画処理）を行っている状態のとき、すなわち、図５に示されるように、第１の録画処理に衛星波ディジタルチューナ２１−１、記録用デマルチプレクサ２６−１、および記録部２７−１が割り当てられ、第２の録画処理に衛星波ディジタルチューナ２１−２、記録用デマルチプレクサ２６−２、および記録部２７−２が割り当てられている状態のとき、さらに、ＢＳディジタル放送の視聴処理が実行されようとしたと仮定する。
【００５７】
この場合、視聴処理に必要なリソースとして衛星波ディジタルチューナ２１が決定されるが、既にリソースとしての衛星波ディジタルチューナ２１はキャパシティの上限まで使用されているので、３つの処理の優先度が判定される。この判定の結果、リアルタイム視聴処理は優先度が最も低いので、リソースの割り当ては変更されない。したがって、リアルタイム視聴処理は実行されないことになる。
【００５８】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５９】
このパーソナルコンピュータ５０は、CPU(Central Processing Unit)５１を内蔵している。CPU５１にはバス５４を介して、入出力インタフェース５５が接続されている。バス５４には、ROM(Read Only Memory)５２およびRAM(Random Access Memory)５３が接続されている。
【００６０】
入出力インタフェース５５には、ユーザが操作コマンドを入力するキーボード、マウス、等の入力デバイスよりなる入力部５６、合成された映像信号を表示するCRT(Cathode Ray Tube)またはLCD(Liquid Crystal Display)等のディスプレイよりなる出力部５７、プログラムや各種データを格納するハードディスクドライブなどよりなる記憶部５８、およびLAN（Local Area Network）アダプタなどよりなり、インタネットに代表されるネットワークを介した通信処理を実行する通信部５９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどの記録媒体６１に対してデータを読み書きするドライブ６０が接続されている。
【００６１】
このパーソナルコンピュータ５０に上述した一連の処理を実行させるプログラムは、記録媒体６１に格納された状態でパーソナルコンピュータ５０に供給され、ドライブ６０によって読み出されて記憶部５８にインストールされている。記憶部５８にインストールされているプログラムは、入力部５６に入力されるユーザからのコマンドに対応するCPU５１の指令によって、記憶部５８からRAM５３にロードされて実行される。
【００６２】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００６３】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【００６４】
また、本明細書において、システムとは、複数の装置により構成される装置全体を表すものである。
【図面の簡単な説明】
【００６５】
【図１】本発明を適用した受信記録装置の構成例を示すブロック図である。
【図２】図１の制御部の構成例を示すブロック図である。
【図３】パス決定処理を説明するフローチャートである。
【図４】パス決定処理の一例を説明するための図である。
【図５】パス決定処理の一例を説明するための図である。
【図６】汎用パーソナルコンピュータの構成例を示すブロック図である。
【符号の説明】
【００６６】
１  受信記録装置，  １０  制御部，  １１  記録装置，  １２  操作入力部，  １３  アナログ信号入力部，  １４  地上波アナログチューナ，  １５  コンポジット入力部，  １６  アナログ入力スイッチ，  １７  Ｙ／Ｃ分離部，  １８  符号化部，  １９  ディジタル信号入力部，  ２０  地上波ディジタルチューナ，  ２１  衛星波ディジタルチューナ，  ２２  ディジタル入力スイッチ，  ２３  信号処理部，  ２４  視聴用デマルチプレクサ，  ２５  復号部，  ２６  記録用デマルチプレクサ，  ２７  記録部，  ２８  データ処理用デマルチプレクサ，  ４１  操作入力部，  ４２  録画予約設定部，  ４３  リソース決定部，  ４４  リソース管理部，  ４５  優先度判定部，  ４６  通知部
【図１】
2006060270.tif 000003
【図２】
2006060270.tif 000004
【図３】
2006060270.tif 000005
【図４】
2006060270.tif 000006
【図５】
2006060270.tif 000007
【図６】
2006060270.tif 000008